(57)【要約】【課題】  薄型でＤＶＤやＣＤのディスクを収納し、製作容易のディスクファイルを提供すること。【解決手段】  本発明のディスクファイル１０は、ディスク２１ａ、２１ｂが挿入されるディスク挿入部１６ａ、１６ｂが左右の中心線を挟み２個形成された矩形形状の第１のシート１１と、第１のシート１１に重ねられて周辺が封じられ、ディスク収納用の隙間を形成する第２のシート１２と、第２のシート１２に重ねられて上端部１４ｄを除き周辺が封じられ、上端部１４ｄに開口部２０ａ、２０ｂが形成されたジャケット収納用の隙間を形成する第３のシート１３とを備え、ディスク２１ａ、２１ｂは、ディスク挿入部６ａ、１６ｂから挿入されてディスク収納用の隙間の左右に収納され、ジャケット２２ａ、２２ｂは、開口部２０ａ、２０ｂから挿入されてジャケット収納用の隙間の左右に収納されることとした。【選択図】  図１
2005145475.tif 000002
【特許請求の範囲】
【請求項１】
ディスクが挿入されるディスク挿入部が左右の中心線を挟み２個形成された矩形形状の第１のシートと、前記第１のシートに重ねられて周辺が封じられ、ディスク収納用の隙間を形成する第２のシートと、前記第２のシートに重ねられて上端部を除き周辺が封じられ、前記上端部に開口部が形成されたジャケット収納用の隙間を形成する第３のシートとを備え、前記ディスクは、前記ディスク挿入部から挿入されて前記ディスク収納用の隙間の左右に収納され、前記ディスクのジャケットは、前記開口部から挿入されてジャケット収納用の隙間の左右に収納されることを特徴とするディスクファイル。
【請求項２】
前記第１のシートに形成されたディスク挿入部は、前記ディスクファイルが折畳まれたとき、互いに当接しない位置に形成することを特徴とする請求項１に記載のディスクファイル。
【請求項３】
前記第２のシートは、前記左右の中心線に沿って切込みを形成することを特徴とする請求項１に記載のディスクファイル。
【請求項４】
ディスクが挿入されるディスク挿入部が形成された矩形形状の第１のシートと、前記第１のシートに重ねられて周辺が封じられ、ディスク収納用の隙間を形成する第２のシートと、前記第２のシートに重ねられて上端部を除き周辺が封じられ、前記上端部に開口部が形成されたジャケット収納用の隙間を形成する第３のシートとを備え、前記ディスクは前記ディスク挿入部から挿入されて前記ディスクの収納用の隙間に収納され、前記ディスクのジャケットは前記開口部から挿入されてジャケット収納用の隙間に収納されることを特徴とするディスクファイル。
【発明の詳細な説明】
【技術分野】
【０００１】
本発明は、ＤＶＤやＣＤのディスクを収納するディスクファイルに関し、特に、薄型で簡潔構造のディスクファイルに関する。
【背景技術】
【０００２】
従来、ＤＶＤの収納ケースには、例えば、透明または半透明のプラスチックケースのトレー部とこれを覆うカバーとからなり、トレー部を開きＤＶＤとジャケットとを収納するものがある（例えば、特許文献１参照）。しかしながら、収納ケースは箱型で形成されるため厚みが大であり、収納効率を上げるために２枚のＤＶＤを収納する場合にはさらに大型または厚みが増し、複数個保管を行う場合には多くの保管スペースを必要とするという問題があった。また、製造工程も複雑でコストが高いという問題もあった。
【０００３】
一方、ＣＤの収納ケースには、透明または半透明の樹脂シートで形成した開口部を有する袋体に仕切体を挿入して固定し、ＣＤとジャケットを収納するものがある（例えば、特許文献２参照）。しかしながら、このＣＤの収納ケースは、比較的厚みを薄く形成することはできるが、製造工程が複雑でコストが高いという問題もあった。
【０００４】
【特許文献１】特開平２００２−２４０８８０号公報
【特許文献２】特開平１０−１１４３８３号公報
【発明の開示】
【発明が解決しようとする課題】
【０００５】
本発明は、上記に鑑みてなされたものであって、薄型でＤＶＤやＣＤのディスクを収納し、製作容易の簡潔構造のディスクファイルを提供することを目的とする。
【課題を解決するための手段】
【０００６】
本発明のディスクファイルは、ディスクが挿入されるディスク挿入部が左右の中心線を挟み２個形成された矩形形状の第１のシートと、前記第１のシートに重ねられて周辺が封じられ、ディスク収納用の隙間を形成する第２のシートと、前記第２のシートに重ねられて上端部を除き周辺が封じられ、前記上端部に開口部が形成されたジャケット収納用の隙間を形成する第３のシートとを備え、前記ディスクは、前記ディスク挿入部から挿入されて前記ディスク収納用の隙間の左右に収納され、前記ディスクのジャケットは、前記開口部から挿入されてジャケット収納用の隙間の左右に収納されることとした。
【０００７】
また、前記第１のシートに形成されたディスク挿入部は、前記ディスクファイルが折畳まれたとき、互いに当接しない位置に形成することとした。
【０００８】
また、前記第２のシートは、前記左右の中心線に沿って切込みを形成することとした。
【０００９】
さらに、本発明のディスクファイルは、ディスクが挿入されるディスク挿入部が形成された矩形形状の第１のシートと、前記第１のシートに重ねられて周辺が封じられ、ディスク収納用の隙間を形成する第２のシートと、前記第２のシートに重ねられて上端部を除き周辺が封じられ、前記上端部に開口部が形成されたジャケット収納用の隙間を形成する第３のシートとを備え、前記ディスクは前記ディスク挿入部から挿入されて前記ディスクの収納用の隙間に収納され、前記ディスクのジャケットは前記開口部から挿入されてジャケット収納用の隙間に収納されることとした。
【発明の効果】
【００１０】
本発明のディスクファイルは、ディスクが挿入されるディスク挿入部が左右の中心線を挟み２個形成された矩形形状の第１のシートと、前記第１のシートに重ねられて周辺が封じられ、ディスク収納用の隙間を形成する第２のシートと、前記第２のシートに重ねられて上端部を除き周辺が封じられ、前記上端部に開口部が形成されたジャケット収納用の隙間を形成する第３のシートとを備え、前記ディスクは、前記ディスク挿入部から挿入されて前記ディスク収納用の隙間の左右に収納され、前記ディスクのジャケットは、前記開口部から挿入されてジャケット収納用の隙間の左右に収納されることとしたため、２枚のディスクとジャケットとを収納し、薄型にすることができるとともに、製作容易の簡潔構造にすることができる。
【００１１】
また、前記第１のシートに形成されたディスク挿入部は、前記ディスクファイルが折畳まれたとき、互いに当接しない位置に形成することとしたため、収納したディスク同士が当接することはなく、ディスクに傷などが発生することを防止することができる。
【００１２】
また、前記第２のシートは、前記左右の中心線に沿って切込みを形成することとしたため、円滑に折畳むことができ、折畳まれたとき３枚重ねのシートに凹凸を生じることを避けることができる。
【００１３】
さらに、本発明のディスクファイルは、ディスクが挿入されるディスク挿入部が形成された矩形形状の第１のシートと、前記第１のシートに重ねられて周辺が封じられ、ディスク収納用の隙間を形成する第２のシートと、前記第２のシートに重ねられて上端部を除き周辺が封じられ、前記上端部に開口部が形成されたジャケット収納用の隙間を形成する第３のシートとを備え、前記ディスクは前記ディスク挿入部から挿入されて前記ディスクの収納用の隙間に収納され、前記ディスクのジャケットは前記開口部から挿入されてジャケット収納用の隙間に収納されることとしたため、ディスクとジャケットとを収納し、薄型にすることができるとともに、製作容易の簡潔構造にすることができる。
【発明を実施するための最良の形態】
【００１４】
以下、本発明の実施の形態を図を用いて説明する。
【００１５】
図１は、本発明の実施の形態のディスクファイルの一部を切り欠いた斜視図を示す。
【００１６】
図１に示すように、本発明の実施の形態のディスクファイル１０は、収納効率を上げるために２枚のディスク２１ａ、２１ｂと、２枚のジャケット２２ａ、２２ｂを収納するもので、ディスク２１ａが挿入されるＴ字形状の第１のディスク挿入部１６ａと、ディスク２１ｂが挿入されるＴ字形状の第２のディスク挿入部１６ｂが折り畳みを行うときの中心線１９を挟み左右に形成された第１のシート１１と、第１のシート１１に重ねられ左右の中心線１９に沿って切込み部１２ａが形成された第２のシート１２と、第２のシート１２に重ねられた第３のシート１３とで構成されている。第１のディスク挿入部１６ａは第１のシート１１の左下方に設けられ、第２のディスク挿入部１６ｂは、第１のシート１１の右上方に設けられているため、本発明の実施の形態のディスクファイル１０が折畳まれたとき、第１のディスク挿入部１６ａと第２のディスク挿入部１６ｂとは互いに当接しない位置に配置されている。
【００１７】
第１のシート１１と、第２のシート１２と、第３のシート３とは、透明または半透明のポリプロピレンなどの樹脂の薄型のシートであり、左右の端部１４ａ、１４ｂと下端部１４ｃで高周波ウエルドされ、また、第１のシート１１と第２のシート１２とは、上端部１４ｄで折り返され、さらに、第１のシート１１と第２のシート１２は、ディスク２１ａが収納されたときのディスク外側部１５ａと、ディスク２１ｂが収納されたときのディスク外側部１５ｂに高周波ウエルドがされている。そのため、周辺が封じられた第１のシート１１と第２のシート１２の隙間には、ディスク２１ａを収納するディスク収納部１７ａと、ディスク２１ｂを収納するディスク収納部１７ｂとが形成され、第２のシート１２と第３のシート１３との隙間は、ジャケット２２ａ、２２ｂとを収納するジャケット収納部１８ａ、１８ｂとなり、上端がジャケット２２ａとジャケット２２ｂとが挿入される開口部２０ａ、２０ｂとなる。ジャケット２２ａ、２２ｂは、歌詞カードや、題目や内容案内や、インデックスなどを指すこととする。
【００１８】
次に、本発明の実施の形態のディスクファイル１０にディスク２１ａ、２１ｂとジャケット２２ａ、２２ｂとが収納されるときの動作につき説明する。
【００１９】
ディスク２１ａは、ディスク挿入部１６ａから挿入され、第１のシート１１と第２のシート１２の隙間に形成されたディスク収納部１７ａに収納され、ディスク２１ｂは、ディスク挿入部１６ｂから挿入され、第１のシート１１と第２のシート１２の隙間に形成されたディスク収納部１７ｂに収納される。また、ジャケット２２ａは、開口部２０ａから挿入され第２のシート１２と第３のシート１３の隙間のジャケット収納部１８ａに収納され、ジャケット２２ｂは、開口部２０ｂから挿入され第２のシート１２と第３のシート１３の隙間のジャケット収納部１８ｂに収納される。本発明の実施の形態のディスクファイル１０は、ディスク２１ａ、２１ｂと、ジャケット２２ａ、２２ｂとが収納されると、中心線１９で折り畳みが行われる。
【００２０】
図２は、本発明の実施の形態のディスクファイルにディスクが収納されたときの状況図を示し、図２（ａ）は、本発明の実施の形態のディスクファイルにディスクが収納されたときの一部を切り欠いた斜視図を示し、図２（ｂ）は、発明の実施の形態のディスクファイルが完全に折畳まれる直前の一部を切り欠いた斜視図を示す。
【００２１】
図２（ａ）に示すように、本発明の実施の形態のディスクファイル１０は、ディスク２１ａが第１のシート１１に形成されたディスク挿入部１６ａから挿入されてディスク収納部１７ａに収納され、ディスク２１ｂが第１のシート１１に形成されたディスク挿入部１６ｂから挿入されてディスク収納部１７ｂに収納され、ジャケット２２ａが開口部２０ａから挿入されてジャケット収納部１８ａに収納され、ジャケット２２ｂが開口部２０ｂから挿入されて第２のシート１２と第３のシート１３の隙間のジャケット収納部１８ｂに収納される。ディスク２１ａ、２１ｂとジャケット２２ａ、２２ｂが収納されると、本発明の実施の形態のディスクファイル１０は、矢視Ｓに示すように、中心線１９で折り畳みが行われ、図２（ｂ）に示すように折畳まれる。
【００２２】
第２のシート１２には、中心線１９に沿って切込み部１２ａが形成されているため、折畳みが行われるとき切込み部１２ａを中心に円滑に折畳むことができ、また、第１、第２、第３のシート１１、１２、１３に凹凸を生じることを避けることができる。
【００２３】
また、本発明の実施の形態のディスクファイル１０は、折畳みが行われたとき、第１のディスク挿入部１６ａと第２のディスク挿入部１６ｂとが互いに当接しない位置に配置されているため、収納されたディスク２１ａ、２１ｂ同士が当接することはなく、ディスク２１ａ、２１ｂに傷などが発生することを防止することができる。
【００２４】
図３は、本発明の実施の形態のディスクファイルを製造するときの状況図を示し、図３（ａ）は、第１、第２、第３のシートの折曲げ前の斜視図を示し、図３（ｂ）は、第１のシートと第２のシートとが折曲げられたときの斜視図を示し、図３（ｃ）は、発明の実施の形態のディスクファイルが製造されたときの斜視図を示す。
【００２５】
図３（ａ）に示すように、第１のシート１１と、第２のシート１２と、第３のシート１３の部分が連続した１枚のシートとして形成され、第１のシート１１には第１のディスク挿入部１６ａと第２のディスク挿入部１６ｂとが形成され、第２のシート１２には中心線１９に沿って切込み部１２ａが形成されている。
【００２６】
第１のシート１１は、矢印Ｔ１に示すように折曲げられ、図３（ｂ）に示すように折曲げられた状態となる。図３（ｂ）に示すように折曲げられた状態となると、重ねられた第１のシート１１と第２のシート１２のディスク外側部１５ａ、１５ｂに高周波ウエルドが行われ、第３のシート１３が、矢印Ｔ２に示すように折曲げられる。図２（ｃ）に示すように、第３のシート１３が折曲げられると、図３（ｃ）に示すように、左右の端部１４ａ、１４ｂと下端部１４ｃに高周波ウエルドが行われ、本発明の実施の形態のディスクファイル１０が製造される。
【００２７】
以上述べたように、本発明の実施の形態のディスクファイル１０は、薄型で２枚のディスク２１ａ、２１ｂを収納することができるとともに、１枚のシートからの折曲げと高周波ウエルドとによる製作容易の簡潔構造にすることができる。
【００２８】
また、本発明の実施の形態のディスクファイル１０は、折畳みが行われるとき切込み部１２ａを中心に円滑に折畳むことができ、また、第１、第２、第３のシート１１、１２、１３に凹凸を生じることを避けることができる。
【００２９】
さらに、本発明の実施の形態のディスクファイル１０は、第１のディスク挿入部１６ａと第２のディスク挿入部１６ｂとが互いに当接しない位置に配置されているため、収納したディスク２１ａ、２１ｂ同士が当接することはなく、ディスク２１ａ、２１ｂに傷などが発生することを防止することができる。
【００３０】
なお、本発明の実施の形態のディスクファイル１０は、２枚のＤＶＤのディスク２１ａ、２１ｂと、２枚のジャケット２２ａ、２２ｂを収納するものについて述べたが、これに限定することなく、ディスク挿入部を一個にして１枚のディスクと、１枚のジャケットを収容するようにすることもできる。
【００３１】
また、本発明の実施の形態のディスクファイル１０は、矩形形状の第１、第２、第３のシートを重ね、第２のシートと第３のシートは、上端部を除き周辺を高周波ウエルドなどで封じ、第１のシートと第２のシートは、一方の側方端部と、下端部と、上端部より所定の間は除いた他方の側方端部を封じ、１枚のディスクと、１枚のジャケットを収容するようにすることもできる。ジャケットは、第２のシートと第３のシートの上端部の間より挿入して収納することができ、ディスクは、第１のシートと第２のシートの上端部の間より挿入し、第１のシートの他方の側方端部の上端をディスクの裏側に折返してディスクが外側に出ることを防いで収納することができる。また、第１のシートには、上方に向け長方形状の切欠きを形成し、ディスクが収納されているとき指を長方形状の切欠きの外側からディスクに当接して、ディスクを引出すようにすることもできる。
【００３２】
また、本発明の実施の形態のディスクファイル１０は、上方よりディスク２１ａ、２１ｂをディスク挿入部１６ａ、１６ｂに挿入することとしたが、これに限定されることなく、他の方向から挿入するようにすることもできる。
【図面の簡単な説明】
【００３３】
【図１】本発明の実施の形態のディスクファイルの一部を切り欠いた斜視図を示す。
【図２】本発明の実施の形態のディスクファイルにディスクが収納されたときの状況図を示し、図２（ａ）は、本発明の実施の形態のディスクファイルにディスクが収納されたときの一部を切り欠いた斜視図を示し、図２（ｂ）は、発明の実施の形態のディスクファイルが完全に折畳まれる直前の一部を切り欠いた斜視図を示す。
【図３】本発明の実施の形態のディスクファイルを製造するときの状況図を示し、図３（ａ）は、第１、第２、第３のシートの折曲げ前の斜視図を示し、図３（ｂ）は、第１のシートと第２のシートとが折曲げられたときの斜視図を示し、図３（ｃ）は、発明の実施の形態のディスクファイルが製造されたときの斜視図を示す。
【符号の説明】
【００３４】
１０  ディスクファイル
１１  第１のシート
１２  第２のシート
１２ａ  切込み部
１３  第３のシート
１４ａ、１４ｂ  左右の端部
１４ｃ  下端部
１４ｄ  上端部
１５ａ、１５ｂ  ディスク外側部
１６ａ  第１のディスク挿入部
１６ｂ  第２のディスク挿入部
１７ａ、１７ｂ  ディスク収納部
１８ａ、１８ｂ  ジャケット収納部
１９  中心線
２０ａ、２０ｂ  開口部
２１ａ、２１ｂ  ディスク
２２ａ、２２ｂ  ジャケット
【図１】
2005145475.tif 000003
【図２】
2005145475.tif 000004
【図３】
2005145475.tif 000005